(57)【要約】【課題】小型化するとともに、電気部品のずれを防止することができる電気部品の接続構造を提供すること。【解決手段】一対のバスバー５０Ｒ，５０Ｌが左右に並んで配置され、一対のバスバー５０Ｒ，５０Ｌの間で大側電気部品２００と、大側電気部品２００に対して左右方向の幅、および二極の電極３００ｂの左右方向の間隔が小さい小側電気部品３００とが、上下に並ぶように配置されて一対のバスバー５０Ｒ，５０Ｌに電気的に接続される電気部品の接続構造１であって、一対のバスバー５０Ｒ，５０Ｌの各バスバー５０Ｒ，５０Ｌは、並んで配置された場合に外側面を形成する外側壁５１Ｒ，５１Ｌに、大側電気部品２００の一方の電極２００ａに接続される接点７１ａと、小側電気部品３００の一方の側面３００ｃに近傍で向かい合うことによって、対となるバスバー５０Ｒ，５０Ｌとで小側電気部品３００のずれを防止する電気部品ずれ防止壁部１００と、が形成されてなる。【選択図】図４
2014146484.tif 000002
【特許請求の範囲】
【請求項１】
導電性の板状部材が成形されてなる一対のバスバーが左右に並んで配置され、該一対のバスバーの間で大側電気部品と、該大側電気部品に対して左右方向の幅、および二極の電極の左右方向の間隔が小さい小側電気部品とが、上下に並ぶように配置された状態で前記一対のバスバーに電気的に接続される電気部品の接続構造であって、
前記一対のバスバーの各バスバーは、
並んで配置された場合に外側面を形成する壁である外側壁に、
前記大側電気部品の一方の電極に接続される接点と、
前記小側電気部品の一方の側面に近傍で向かい合うことによって、対となる前記バスバーとで前記小側電気部品の左右方向のずれを防止する壁部分となる電気部品ずれ防止壁部と、
が形成されてなることを特徴とする電気部品の接続構造。
【請求項２】
前記各バスバーは、
前記接点が前記大側電気部品の前記電極に接続可能な範囲で前記電気部品ずれ防止壁部が前記小側電気部品の前記側面にできるだけ近づけられるように前記外側壁が設けられてなることを特徴とする請求項１に記載の電気部品の接続構造。
【請求項３】
前記各バスバーは、
Ｕ字状に屈曲されることによって左右方向で向かい合う右側壁と左側壁とを有してなり、前記右側壁または前記左側壁のうち、前記一対のバスバーが並べて配置された場合に外側に位置される壁が前記外側壁となり、内側に位置される内側壁に前記小側電気部品の一方の電極に接続される接点が形成されてなることを特徴とする請求項１または２に記載の電気部品の接続構造。
【請求項４】
前記小側電気部品は、
ＬＥＤであり、
前記大側電気部品は、
ツェナーダイオードである
ことを特徴とする請求項１、２、または３に記載の電気部品の接続構造。
【発明の詳細な説明】
【技術分野】
【０００１】
本発明は、一対のバスバーに電気部品が電気的に接続される電気部品の接続構造に関する。
【背景技術】
【０００２】
従来、ＬＥＤ（Ｌｉｇｈｔ  Ｅｍｉｔｔｉｎｇ  Ｄｉｏｄｅ）、ツェナーダイオード等の電気部品が導電部材によって電気的に接続される電気部品の接続構造では、導電性の板状部材が曲げあるいは打ち抜き等のプレス加工によって成形されてなるバスバーが用いられるものがある。例えば、特許文献１には、一対のバスバーが左右に並んで配置され、一対のバスバーの間で１つの電気部品（以下、「大側電気部品」という。）と、大側電気部品に対して左右方向の幅、および電極の間隔が小さい電気部品（以下、「小側電気部品」という。）と、が上下に並ぶように配置された状態で一対のバスバーに電気的に接続される電気部品の接続構造が記載されている。
【０００３】
特許文献１に記載の電気部品の接続構造は、共通のバスバーを対で用いることによってバスバーの部品点数を削減するようにしている。
【先行技術文献】
【特許文献】
【０００４】
【特許文献１】特開２０１２−１２４１４９号公報
【発明の概要】
【発明が解決しようとする課題】
【０００５】
しかしながら、図１１に示すように、特許文献１に記載された電気部品の接続構造７００は、一対のバスバー７１０，７１０の内、一方のバスバー７１０に接点に利用されない外側面を形成する壁７１０ａがあるため、一対のバスバー７１０，７１０の並び方向の幅が大きくなること、および電気部品７２０，７３０の左右を囲う壁が無いため電気部品７２０，７３０が左右方向にずれるおそれがあった。
【０００６】
本発明は、上記に鑑みてなされたものであって、小型化するとともに、電気部品のずれを防止することができる電気部品の接続構造を提供することを目的とする。
【課題を解決するための手段】
【０００７】
上述した課題を解決し、目的を達成するために、本発明の請求項１に係る電気部品の接続構造は、導電性の板状部材が成形されてなる一対のバスバーが左右に並んで配置され、該一対のバスバーの間で大側電気部品と、該大側電気部品に対して左右方向の幅、および二極の電極の左右方向の間隔が小さい小側電気部品とが、上下に並ぶように配置された状態で前記一対のバスバーに電気的に接続される電気部品の接続構造であって、前記一対のバスバーの各バスバーは、並んで配置された場合に外側面を形成する壁である外側壁に、前記大側電気部品の一方の電極に接続される接点と、前記小側電気部品の一方の側面に近傍で向かい合うことによって、対となる前記バスバーとで前記小側電気部品の左右方向のずれを防止する壁部分となる電気部品ずれ防止壁部と、が形成されてなることを特徴とする。
【０００８】
また、本発明の請求項２に係る電気部品の接続構造は、上記の発明において、前記各バスバーは、前記接点が前記大側電気部品の前記電極に接続可能な範囲で前記電気部品ずれ防止壁部が前記小側電気部品の前記側面にできるだけ近づけられるように前記外側壁が設けられてなることを特徴とする。
【０００９】
また、本発明の請求項３に係る電気部品の接続構造は、上記の発明において、前記各バスバーは、Ｕ字状に屈曲されることによって左右方向で向かい合う右側壁と左側壁とを有してなり、前記右側壁または前記左側壁のうち、前記一対のバスバーが並べて配置された場合に外側に位置される壁が前記外側壁となり、内側に位置される内側壁に前記小側電気部品の一方の電極に接続される接点が形成されてなることを特徴とする。
【００１０】
また、本発明の請求項４に係る電気部品の接続構造は、上記の発明において、前記小側電気部品は、ＬＥＤであり、前記大側電気部品は、ツェナーダイオードであることを特徴とする。
【発明の効果】
【００１１】
本発明の請求項１に係る電気部品の接続構造は、前記一対のバスバーの各バスバーが並んで配置された場合、前記各バスバーの外側面を形成する壁である前記外側壁に電極の間隔が大きい前記大側電気部品の一方の電極に接続される前記接点が形成されるため、並んで配置された前記一対のバスバーの左右方向の幅を前記大側電気部品の前記電極の間隔という必要最小限の幅に抑えることができるとともに、その前記外側壁によって前記小側電気部品の一方の側面に近傍で向かい合う前記電気部品ずれ防止壁部が形成されているため、前記一対のバスバーの前記電気部品ずれ防止壁部によって前記小側電気部品の左右方向のずれを防止することができるので、小型化するとともに、電気部品のずれを防止することができる。
【００１２】
本発明の請求項２に係る電気部品の接続構造は、前記各バスバーの前記電気部品ずれ防止壁部と前記小側電気部品の一方の側面との間隙を小さく抑えることができるので、前記小側電気部品のずれをより小さく抑えることができる。
【００１３】
本発明の請求項３に係る電気部品の接続構造は、前記各バスバーが導電性の板状部材をＵ字状に屈曲されることによって簡易に構成された前記右側壁と前記左側壁とのそれぞれに前記大側電気部品と前記小側電気部品とに接続される各接点、および前記電気部品ずれ防止壁部が形成されるようになっているので、前記各バスバーを簡易な構成にすることができる。
【００１４】
本発明の請求項４に係る電気部品の接続構造は、前記一対のバスバーが前記ＬＥＤおよび前記ツェナーダイオードに電気的に接続される場合に、小型化するとともに、ＬＥＤのずれを防止することができる。
【図面の簡単な説明】
【００１５】
【図１】図１は、本発明の実施例に係る電気部品の接続構造が組み込まれる照明装置の分解斜視図である。
【図２】図２は、（ａ）が図１に示した照明装置をレンズ側から視た図であり、（ｂ）が図１に示した照明装置を（ａ）の裏面側から視た図である。
【図３】図３は、図１に示したハウジングに収容された電気部品の接続構造をレンズ裏面側から視た図である。
【図４】図４は、図３に示したハウジングに収容された電気部品の接続構造のＡ−Ａ線断面図である。
【図５】図５は、図１に示した電気部品の接続構造の斜視図である。
【図６】図６は、図１に示した照明機能部によって構成されるＬＥＤの電源供給回路の構成を示した回路図である。
【図７】図７は、電気部品の接続構造が組み込まれた照明装置の組み立て手順を示した図である。
【図８】図８は、電気部品の接続構造が組み込まれた照明装置の組み立て手順を示した図である。
【図９】図９は、電気部品の接続構造１が組み込まれた照明装置の組み立て手順を示した図である。
【図１０】図１０は、本発明の実施例に係る電気部品の接続構造が組み込まれた照明装置の変形例の照明装置の斜視図である。
【図１１】図１１は、従来技術の問題点を説明するための図である。
【発明を実施するための形態】
【００１６】
以下、図面を参照して、本発明に係る電気部品の接続構造の好適な実施例を詳細に説明する。
図１は、本発明の実施例に係る電気部品の接続構造１が組み込まれる照明装置５００の分解斜視図である。図２は、（ａ）が図１に示した照明装置５００をレンズ１３側から視た図であり、（ｂ）が図１に示した照明装置５００を（ａ）の裏面側から視た図である。図３は、図１に示したハウジング４０に収容された電気部品の接続構造１をレンズ１３裏面側から視た図である。図４は、図３に示したハウジング４０に収容された電気部品の接続構造１のＡ−Ａ線断面図である。図５は、図１に示した電気部品の接続構造１の斜視図である。図６は、図１に示した照明機能部２０によって構成されるＬＥＤ３００の電源供給回路の構成を示した回路図である。
なお、便宜上、図中に示すように前後、左右及び上下方向を定義する。
本発明の実施例に係る電気部品の接続構造１は、例えば自動車等の室内に設けられる照明装置５００に組み込まれものである。この照明装置５００は、図１に示すように、カバー１０と、照明機能部２０と、を有してなる。
【００１７】
まず、カバー１０について説明する。
カバー１０は、絶縁性の材料からなり、後端に照明機能部２０が挿入可能な開口部が形成された箱形形状のカバーであり、内部に照明機能部２０が収容されるものである。このカバー１０は、光源となるＬＥＤ３００に対応する位置にＬＥＤ３００から発せられた光を通す窓部１１が設けられ、この窓部１１にＬＥＤ３００から発せられた光を集光するレンズ１３が取り付けられるようになっている。
なお、この実施例ではカバー１０は、不図示の導光部材等の接続部品が取り付け可能に窓部１１に沿って筒状に突出されてなる部品取付部１２を有してなる。
【００１８】
次に、照明機能部２０について説明する。
照明機能部２０は、本発明の実施例に係る電気部品の接続構造１と、不図示の外部電源に接続される電線Ｗが保持されてなる電線保持部３０と、電気部品の接続構造１が収容されるハウジング４０と、を有してなり、ＬＥＤ３００に対して外部から電力を供給することによってＬＥＤ３００を発光させる機能をなす部分である。
【００１９】
電気部品の接続構造１は、導電性の板状部材が成形されてなる一対のバスバー５０Ｒ，５０Ｌが左右方向に並んで配置され、一対のバスバー５０Ｒ，５０Ｌの間で大側電気部品としのツェナーダイオード２００と、ツェナーダイオード２００に対して左右方向の幅、および二極の電極３００ｂの左右方向の間隔が小さい小側電気部品としてのＬＥＤ３００とが上下に並ぶように配置された状態で一対のバスバー５０Ｒ，５０Ｌに電気的に接続されるものである。また、本発明の実施例では、二つの抵抗４００が一対のバスバー５０Ｒ，５０Ｌに電気的に接続されるようになっている。
【００２０】
ツェナーダイオード２００は、公知のツェナーダイオードであり、一方の面に陽極、陰極の各電極２００ａが設けられている。
ＬＥＤ３００は、公知のＬＥＤであり、全体として直方体形状をなし、光が発光される発光部３００ａが一方の面に設けられ、かつ他方の面に陽極、陰極の各電極３００ｂが設けられている。
抵抗４００は、全体として板状をなし、一方の面に陽極、陰極の各電極４００ａが設けられている。
【００２１】
一対のバスバー５０Ｒ，５０Ｌの各バスバー５０Ｒ，５０Ｌは、導電性の板状部材が曲げあるいは打ち抜き等のプレス加工によって成形されたものである。
各バスバー５０Ｒ，５０Ｌは、左右方向に並んで配置された場合に外側面を形成する壁である外側壁としての後述する右側壁５１Ｒあるいは左側壁５１Ｌに、ツェナーダイオード２００の一方の電極２００ａに接続される接点７１ａと、ＬＥＤ３００の一方の側面３００ｃに近傍で向かい合うことによって、対となるバスバー５０Ｒ，５０ＬとでＬＥＤ３００のずれを防止する壁部分となる電気部品ずれ防止壁部１００とが形成されてなる。
【００２２】
ここで、一対のバスバー５０Ｒ，５０Ｌについてより詳細に説明する。
なお、一対のバスバー５０Ｒ，５０Ｌは、互いの形状が並び間隔の中心線に対して鏡面対称形状になっているため、右側に配置されるバスバー５０Ｒ（以下、右側バスバーという。）について詳細に説明し、左側に配置されるバスバー５０Ｌ（以下、左側バスバーという。）の説明を省略する。
【００２３】
右側バスバー５０Ｒは、ＬＥＤ３００の一方の電極３００ｂに接続しつつＬＥＤ３００を挟持するＬＥＤ接続部６０と、ツェナーダイオード２００の一方の電極２００ａに接続しつつツェナーダイオード２００を挟持するツェナーダイオード接続部７０と、抵抗４００の陽極、陰極の両電極４００ａ，４００ａに接続されるように抵抗４００を挟持する抵抗接続部８０と、電線保持部３０に保持された電線Ｗに接続される電線接続部９０と、電気部品ずれ防止壁部１００と、を有してなる。
この右側バスバー５０Ｒは、ＬＥＤ接続部６０およびツェナーダイオード接続部７０が右側バスバー５０Ｒの前端縁にＬＥＤ３００の挿入口、およびツェナーダイオード２００の挿入口が上下に並ぶように設けられ、その後方に抵抗接続部８０と、電線接続部９０とが順次連接されてなる。
【００２４】
このような右側バスバー５０Ｒは、前後方向で、前端側のＬＥＤ接続部６０およびツェナーダイオード接続部７０から、その後方に連接される抵抗接続部８０までの区間がＵ字状に屈曲されてなる。
右側バスバー５０Ｒは、Ｕ字状に屈曲された区間で、左右方向で向かい合う右側壁５１Ｒと、左側壁５１Ｌとが形成されるようになっている。この右側壁５１Ｒおよび左側壁５１Ｌは、右側バスバー５０Ｒが左側バスバー５０Ｌに並んで配置された場合、右側バスバー５０Ｒの右側壁５１Ｒが外側に位置されて外側壁を構成し、左側壁５１Ｌが内側に位置されて内側壁を構成するようになっている。
また、右側壁５１Ｒおよび左側壁５１Ｌは、打ち抜き加工がさらに施されることによってＬＥＤ接続部６０と、ツェナーダイオード接続部７０と、抵抗接続部８０とが成形されるようになっている。
【００２５】
ＬＥＤ接続部６０は、ＬＥＤ３００の一方の電極３００ｂに向けて弾性的に付勢力が作用されながらＬＥＤ３００の一方の電極３００ｂに接続されるＬＥＤ接続用弾性接触片６１と、ＬＥＤ接続用弾性接触片６１によって下方に向けた力が負荷されたＬＥＤ３００の下面が当接されるＬＥＤ当接迫出し壁部６２と、を有してなる。
【００２６】
ＬＥＤ接続用弾性接触片６１は、図１に示すように、左側壁５１Ｌの一部が片状に成形されるように打ち抜かれ、その先端部に下方に頂点を有する三角形状部が形成されてなる。このＬＥＤ接続用弾性接触片６１は、この三角形状部の頂点がＬＥＤ３００の一方の電極３００ｂに接続される接点６１ａになっている。
【００２７】
ＬＥＤ当接迫出し壁部６２は、右側壁５１Ｒと左側壁５１Ｌとの間のＵ字状屈曲部周辺がＬＥＤ接続用弾性接触片６１を形成するため打ち抜き加工が施されることによって、ＬＥＤ接続用弾性接触片６１から切り離されてできた端部が右側壁５１Ｒに対して内側直角方向に迫出すように成形された壁である。
このＬＥＤ当接迫出し壁部６２は、光の照射方向でＬＥＤ３００の発光部３００ａに干渉されないように円弧状に切り欠かれた光通過用切り欠き部６２ａが形成されている。
【００２８】
このようなＬＥＤ接続部６０は、ＬＥＤ接続用弾性接触片６１と、ＬＥＤ当接迫出し壁部６２とでＬＥＤ３００の一方の電極３００ｂに接続しつつＬＥＤ３００を挟持するようになっている。
【００２９】
ツェナーダイオード接続部７０は、ツェナーダイオード２００の一方の電極２００ａに向けて弾性的に付勢力が作用されながらツェナーダイオード２００の一方の電極２００ａに接続されるツェナーダイオード接続用弾性接触片７１と、ツェナーダイオード接続用弾性接触片７１によって上方に向けた力が負荷されたツェナーダイオード２００の上面が当接されるツェナーダイオード当接片部７２と、を有してなる。
【００３０】
ツェナーダイオード接続用弾性接触片７１は、右側壁５１Ｒの一部が片状に成形されるように打ち抜かれ、その先端部に上方に頂点を有する三角形状部が形成されてなる。このツェナーダイオード接続用弾性接触片７１は、この三角形状部の頂点がツェナーダイオード２００の一方の電極２００ａに接続される接点７１ａになっている。
【００３１】
ツェナーダイオード当接片部７２は、ツェナーダイオード接続用弾性接触片７１を形成するため打ち抜き加工が施されることによって、ツェナーダイオード接続用弾性接触片７１から切り離された右側壁５１Ｒの一部である。
【００３２】
このようなツェナーダイオード接続部７０は、ツェナーダイオード接続用弾性接触片７１と、ツェナーダイオード当接片部７２とでツェナーダイオード２００の一方の電極２００ａに接続しつつツェナーダイオード２００を挟持するようになっている。
【００３３】
抵抗接続部８０は、上端縁に抵抗４００の挿入口が設けられてなる。この抵抗接続部８０は、抵抗４００の各電極４００ａに向けて弾性的に付勢力が作用されながら抵抗４００の各電極４００ａに接続されるように右側壁５１Ｒおよび左側壁５１Ｌのそれぞれの一部が片状に成形されるように打ち抜かれてなる一対の抵抗接続用弾性接触片８１，８１と、一対の抵抗接続用弾性接触片８１，８１によって後方に向けた力が負荷された抵抗４００が当接される一対の抵抗当接片部８２，８２と、を有してなる。
【００３４】
このような抵抗接続部８０は、一対の抵抗接続用弾性接触片８１，８１と、一対の抵抗当接片部８２，８２とで抵抗４００の両電極４００ａ，４００ａに接続しつつ抵抗４００を挟持するようになっている。
【００３５】
電線接続部９０は、右側バスバー５０Ｒの後端部を構成し、電線保持部３０によって保持された電線Ｗが絶縁被覆を剥がされながら圧入される圧入溝９１ａが形成されてなる圧接刃９１が設けられてなる。この圧接刃９１は、ハウジング４０の開口部４１から外部に露出され、後方に向けて突出されるように抵抗接続部８０に連接されている。
【００３６】
次に、電気部品ずれ防止壁部１００について説明する。
電気部品ずれ防止壁部１００は、ＬＥＤ３００の側面３００ｃに近傍で向かい合うことによってＬＥＤ３００のずれを防止する壁部分となる。
この電気部品ずれ防止壁部１００は、右側壁５１Ｒがツェナーダイオード接続用弾性接触片７１を形成するため部分的に打ち抜かれることによって、ツェナーダイオード接続用弾性接触片７０から切り離された部分がＬＥＤ当接迫出し壁部６２に対して直角上方向に屈曲されるようにＬＥＤ当接迫出し壁部６２に連接されてなる部分である。
【００３７】
このような電気部品ずれ防止壁部１００は、右側バスバー５０Ｒが左側バスバー５０Ｌと並んで配置された場合、外側となる右側壁５１Ｒに形成されている。
【００３８】
また、電気部品ずれ防止壁１００は、左側バスバー５０Ｌの外側面を形成する左側壁５１Ｌに対しても同様に形成される。このため、ＬＥＤ３００の左右両側面３００ｃ，３００ｃの近傍に各バスバー５０Ｒ，５０Ｌの電気部品ずれ防止壁１００が配置されることによってＬＥＤ３００の左右方向のずれが防止されるようになっている。
【００３９】
このような右側バスバー５０Ｒと左側バスバー５０Ｌとが左右方向に並んで配置された場合、各バスバー５０Ｒ，５０ＬのＬＥＤ接続部６０が内側に配置され、ツェナーダイオード接続部７０が外側面を形成する壁である外側壁として外側に配置される。
すなわち、右側バスバー５０Ｒは、ＬＥＤ３００の一方の電極３００ｂに接続される接点６１ａが内側に配置される左側壁５１Ｌに形成され、ツェナーダイオード２００の一方の電極２００ａに接続される接点７１ａが外側面を形成する壁である外側壁としての右側壁５１Ｒに形成される。
【００４０】
一方、左側バスバー５０Ｌは、ＬＥＤ３００の一方の電極３００ｂに接続される接点６１ａが内側に配置される右側壁５１Ｒに形成される一方、ツェナーダイオード２００の一方の電極２００ａに接続される接点７１ａが外側面を形成する壁である外側壁としての左側壁５１Ｌに形成される。
【００４１】
このため、電気部品の接続構造１は、一対のバスバー５０Ｒ，５０ＬがＬＥＤ３００に比して電極の間隔が大きいツェナーダイオード２００の電極２００ａの間隔に対応させて各外側壁が配置されることによって、ツェナーダイオード２００の両電極２００ａに電気的に接続されるようになっている。
このように、左右方向で最小限必要なツェナーダイオード２００の電極２００ａの間隔に対応させて各バスバー５０Ｒ，５０Ｌの外側壁が配置されるようになっているので、電気部品の接続構造１は、左右方向の幅が必要最小限の大きさに抑えられるようになっている。
【００４２】
しかも、ＬＥＤ３００のずれ防止のために設けられた各電気部品ずれ防止壁１００は、ツェナーダイオード２００の各電極２００ａに接続される各接点７１ａと同様に外側面を形成する外側壁に形成されるため、電気部品の接続構造１の左右方向の幅を増大させないようになっている。
なお、各バスバー５０Ｒ，５０Ｌは、接点７１ａがツェナーダイオード２００の電極２００ａに接続可能な範囲で各電気部品ずれ防止壁部１００がＬＥＤ３００の側面３００ｃにできるだけ近づけられるように外側壁が設けられることによって、ＬＥＤ３００の側面３００ｃと、電気部品ずれ防止壁部１００との間隙をできるだけ小さく抑えることができる。
【００４３】
次に、電線保持部３０について説明する。
電線保持部３０は、図１に示すように、折り返して屈曲させた２本の電線Ｗを保持した状態でカバー１０内に収容され、カバー１０内で各電線Ｗを各バスバー５０Ｒ，５０Ｌに電気的に接続させるものである。
【００４４】
次に、ハウジング４０について説明する。
ハウジング４０は、絶縁性の材料からなり、下面に一対のバスバー５０Ｒ，５０Ｌが挿入可能に開口された開口部４１が形成されたブロック状の筐体である。
このハウジング４０は、図３および図４に示すように、矩形状の底壁４２と、底壁４２の４辺のそれぞれから立設された、前壁４３と、前壁４３と向かい合う後壁４４と、向かい合う一対の側壁４５，４５とを有してなる。ハウジング４０は、これらの壁４２，４３，４４，４５によって形成された収容空間が、隔壁４６によって仕切られることによって各バスバー５０Ｒ，５０Ｌが収容されるバスバー収容部４７が形成されている。
【００４５】
前壁４３は、ＬＥＤ３００の挿入口となるＬＥＤ挿入口４３ａ、およびツェナーダイオード２００の挿入口となるツェナーダイオード挿入口４３ｂが上下に並んで形成されている。
また、底壁４２は、各抵抗４００の挿入口となる抵抗挿入口４２ａが２箇所に形成されている。
【００４６】
このような照明装置５００は、各電線Ｗが各バスバー５０Ｒ，５０Ｌに接続されることによって不図示の外部電源に接続され、ＬＥＤ３００と、ツェナーダイオード２００と、二つの抵抗４００と、一対のバスバー５０Ｒ，５０Ｌとによって電気的に接続され、図６に示すようなＬＥＤ３００の電源供給回路が構成される。
【００４７】
ここで、図７−図９を用いて電気部品の接続構造１が組み込まれた照明装置５００の組み立て手順について説明する。図７−図９は、電気部品の接続構造１が組み込まれた照明装置５００の組み立て手順を示した図である。
まず、作業者は、ハウジング４０の各バスバー収容室４７に一対のバスバー５０Ｒ，５０Ｌを収容する（図７（ａ）参照）。この工程によって、各バスバー５０Ｒ，５０Ｌが左右方向に並んで配置される。またこの状態の一対のバスバー５０Ｒ，５０Ｌは、左右方向の幅がツェナーダイオード２００の電極２００ａの間隔に抑えられている。
【００４８】
その後、作業者は、各バスバー５０Ｒ，５０Ｌの一部をカットする（図７（ｂ）参照）。この工程によって、各抵抗４００が、図６に示すように直列で接続される。
【００４９】
その後、作業者は、ツェナーダイオード２００をツェナーダイオード挿入口からハウジング内に挿入することによってツェナーダイオード２００を取り付ける（図７（ｃ）参照）。この工程によって、ツェナーダイオード２００は、一対のツェナーダイオード接続用弾性接触片７１と、一対のツェナーダイオード当接片部７２とで挟持されつつ、各電極２００ａが各接点７１ａに接続される。
【００５０】
その後、作業者は、ＬＥＤ３００をＬＥＤ挿入口４３ａからハウジング４０内に挿入することによってＬＥＤ３００を取り付ける（図８（ｄ）参照）。この工程によって、ＬＥＤ３００は、一対のＬＥＤ接続用弾性接触片６１と、一対のＬＥＤ当接迫出し壁部６２とで挟持されつつ、各電極４００ａが各接点６１ａに接続される。また、ＬＥＤ３００は、各電気部品ずれ防止壁１００によって左右方向のずれが防止される。
【００５１】
その後、作業者は、各抵抗４００を各抵抗挿入口４２ａからハウジング４０内に挿入することによって各抵抗４００を取り付け（図８（ｅ）参照）、レンズ１３を取り付け（図８（ｆ）、参照）、照明機能部２０の各部が組み込まれたハウジング４０をカバー１０に取り付け（図９（ｇ）参照）、電線Ｗを電線保持部３０に取り付け（図９（ｈ）参照）、最後に、電線保持部３０をカバー１０に取り付けて各電線Ｗと各バスバー５０Ｒ，５０Ｌを接続させることによって照明装置５００の組み立てを完了させる（図９（ｈ）参照）。
【００５２】
本発明の実施例に係る電気部品の接続構造１は、一対のバスバー５０Ｒ，５０Ｌの各バスバー５０Ｒ，５０Ｌが並んで配置された場合、各バスバー５０Ｒ，５０Ｌの外側面を形成する壁である外側壁となる右側壁５１Ｒあるいは左側壁５１Ｌに電極２００ａの間隔が大きい大側電気部品としてのツェナーダイオード２００の一方の電極２００ａに接続される接点７１ａが形成されるため、並んで配置された一対のバスバー５０Ｒ，５０Ｌの左右方向の幅を大側電気部品としてのツェナーダイオード２００の電極２００ａの間隔という必要最小限の幅に抑えることができるとともに、その外側壁となる右側壁５１Ｒあるいは左側壁５１Ｌによって小側電気部品としてのＬＥＤ３００の一方の側面３００ｃに近傍で向かい合う電気部品ずれ防止壁部１００が形成されているため、一対のバスバー５０Ｒ，５０Ｌの電気部品ずれ防止壁部１００，１００によって小側電気部品としてのＬＥＤ３００の左右方向のずれを防止することができるので、小型化するとともに、電気部品のずれを防止することができる。
【００５３】
また、本発明の実施例に係る電気部品の接続構造１は、各バスバー５０Ｒ，５０Ｌの電気部品ずれ防止壁部１００と小側電気部品としてのＬＥＤ３００の一方の側面３００ｃとの間隙を小さく抑えることができるので、小側電気部品としてのＬＥＤ３００のずれをより小さく抑えることができる。
【００５４】
また、本発明の実施例に係る電気部品の接続構造１は、各バスバー５０Ｒ，５０Ｌが導電性の板状部材をＵ字状に屈曲されることによって簡易に構成された右側壁５１Ｒと左側壁５１Ｌとのそれぞれに大側電気部品としてのツェナーダイオード２００と小側電気部品としてのＬＥＤ３００とに接続される各接点６１ａ，７１ａ、および電気部品ずれ防止壁部１００，１００が形成されるようになっているので、各バスバーバスバー５０Ｒ，５０Ｌを簡易な構成にすることができる。
【００５５】
また、本発明の実施例に係る電気部品の接続構造１は、一対のバスバー５０Ｒ，５０ＬがＬＥＤ３００およびツェナーダイオード２００に電気的に接続される場合に、小型化するとともに、ＬＥＤ３００のずれを防止することができる。
【００５６】
（変形例）
次に、図１０を用いて本発明の実施例に係る電気部品の接続構造１が組み込まれた照明装置５００の変形例について説明する。図１０は、本発明の実施例に係る電気部品の接続構造１が組み込まれた照明装置５００の変形例の照明装置６００の斜視図である。なお、図１０において、（ａ）が照明装置６００をレンズ１３側から視た図であり、（ｂ）が照明装置６００を（ａ）の裏面側から視た図である。
この変形例の照明装置６００は、カバー１５が部品取付部１２を有しない構成になっている点で実施例の照明装置５００と異なる。
なお、その他の構成は実施例と同様であり、実施例と同一構成部分には同一符号を付している。
この変形例の照明装置６００に組み込まれる電気部品の接続構造１は、実施例と同様であるため、実施例と同様な効果を奏することができる。
【００５７】
なお、本発明の実施例に係る電気部品の接続構造１は、大側電気部品としてツェナーダイオード２００、小側電気部品としてＬＥＤ３００を用いるものを例示したが、これに限らず、小側電気部品が大側電気部品に対して左右方向の幅、および電極の間隔が小さい関係が成立すれば、その他の電気部品を用いても構わない。
【００５８】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５９】
１          電気部品の接続構造
１０，１５  カバー
１１        窓部
１２        部品取付部
１３        レンズ
２０        照明機能部
３０        電線保持部
４０        ハウジング
４１        開口部
４２        底壁
４２ａ      抵抗挿入口
４３        前壁
４３ａ      ＬＥＤ挿入口
４３ｂ      ツェナーダイオード挿入口
４４        後壁
４５        側壁
４６        隔壁
４７        バスバー収容部
５０Ｒ，５０Ｌ  バスバー
５１Ｒ      右側壁（外側壁、あるいは内側壁）
５１Ｌ      左側壁（外側壁、あるいは内側壁）
６０        ＬＥＤ接続部
６１        ＬＥＤ接続用弾性接触片
６１ａ      接点
６２        ＬＥＤ当接迫出し壁部
６２ａ      光通過用切り欠き部
７０        ツェナーダイオード接続部
７１        ツェナーダイオード接続用弾性接触片
７１ａ      接点
７２        ツェナーダイオード当接片部
８０        抵抗接続部
８１        抵抗接続用弾性接触片
８２        抵抗当接片部
９０        電線接続部
９１        圧接刃
９１ａ      圧入溝
１００      電気部品ずれ防止壁部
２００      ツェナーダイオード（大側電気部品）
２００ａ    電極
３００      ＬＥＤ（小側電気部品）
３００ａ    発光部
３００ｂ    電極
３００ｃ    側面
４００      抵抗
４００ａ    電極
５００，６００  照明装置
Ｗ          電線
【図１】
2014146484.tif 000003
【図２】
2014146484.tif 000004
【図３】
2014146484.tif 000005
【図４】
2014146484.tif 000006
【図５】
2014146484.tif 000007
【図６】
2014146484.tif 000008
【図７】
2014146484.tif 000009
【図８】
2014146484.tif 000010
【図９】
2014146484.tif 000011
【図１０】
2014146484.tif 000012
【図１１】
2014146484.tif 000013